(57)【特許請求の範囲】
【請求項１】
イメージエリアの周辺部に電気接続部を設けた固体撮像素子と、
電子部品を有する回路基板と、
前記固体撮像素子の前記電気接続部に接続され前記回路基板を接続する外部端子とを有し、
種類が異なる固体撮像素子に対して前記回路基板に接続される位置での外部端子のサイズ及びピッチを同一とし、共通の回路基板を前記種類が異なる固体撮像素子に接続可能としたことを特徴とする撮像装置。
【請求項２】
前記外部端子は、一端を前記固体撮像素子の前記電気接続部に接続され、他端を前記固体撮像素子の前記イメージエリア後方に折り曲げて前記回路基板に接続するフレキシブルリードによって構成され、このフレキシブルリードを保持するテープを更に備え、
前記テープを前記フレキシブルリードが延出する前記固体撮像素子の幅寸法より狭幅にしたことを特徴とする請求項１記載の撮像装置。
【発明の詳細な説明】
【０００１】
【発明の属する技術分野】
本発明は、内視鏡等に使用される撮像装置に関し、特に、種類が異なる固体撮像素子を接続可能な撮像装置に関する。
【０００２】
【従来の技術】
近年、内視鏡挿入部の先端部内に対物光学系とＣＣＤなどの固体撮像素子及び回路基板などを備えた撮像装置とを配設して、内視鏡観察像を電気的な画像信号として得る電子内視鏡が広く用いられている。
前記電子内視鏡は、前記固体撮像素子の撮像面に観察対象部位の観察像を前記対物光学系にて結像させて得られる電気信号を内視鏡外部に設置した画像処理装置に信号ケーブルを介して伝送し、画像信号に変換してモニタに前記観察対象部位の画像を表示して観察を行うようになっている。
【０００３】
このような電子内視鏡の挿入部先端部など小さなスペースに搭載される撮像装置は、小型化の要求が高く、できるだけ撮像面方向の面積が小さくこれと垂直方向の長さが短いものが望まれている。
電子内視鏡の挿入部先端部は、対物光学系及び撮像装置が内蔵されているため、これらによる硬質部が存在している。よって、撮像装置の長さが短くなるほど先端硬質部長を短くすることができ、このことによって挿入時の患者に対する苦痛を軽減することができる。
【０００４】
このような撮像装置の小型化技術については種々提案されており、例えば特開平１１−４７０８４号公報に記載されている撮像装置は、内視鏡先端部に内蔵された固体撮像素子とこの固体撮像素子の接続される信号ケーブルとを、前記固体撮像素子と平行に配置した基板を介して接続しているものが提案されている。    一方、内視鏡の用途に応じて、例えばＰＡＬ（Ｐｈａｓｅ  Ａｌｔｅｒｎａｔｉｎｇ  Ｌｉｎｅ）方式等のＮＴＳＣ（Ｎａｔｉｎａｌ  Ｔｅｌｅｖｉｓｉｎ  Ｓｙｓｔｅｍ  Ｃｏｍｍｉｔｔｅｅ）方式とはテレビ方式が異なる表示モニタに内視鏡像を表示する場合には、前記ＰＡＬ方式等の異なる種類の固体撮像素子を用いる必要がある。
【０００５】
このような異なる種類の固体撮像素子は、延出する複数の端子のサイズやピッチ等がその種類に応じて異なる。このため、このような異なる種類の固体撮像素子を撮像装置に組み込む場合には、その種類に応じた基板が必要となっていた。また、この場合、固体撮像素子の種類毎に応じた作業を行なう必要があり、煩雑であった。
【０００６】
【発明が解決しようとする課題】
上記上述したように従来の撮像装置は、内視鏡の用途に応じて、様々な固体撮像素子を組み込む場合、固体撮像素子から延出する複数の端子のサイズやピッチ等に合わせた基板が必要となっていた。また、固体撮像素子の種類毎に応じた作業を行なう必要があり、煩雑であった。
【０００７】
本発明は、これらの事情に鑑みてなされたものであり、種類の異なる固体撮像素子を共通の回路基板に接続可能で、組立性の良い撮像装置を提供することを目的とする。
【０００８】
【課題を解決するための手段】
前記目的を達成するため本発明の撮像装置は、イメージエリアの周辺部に電気接続部を設けた固体撮像素子と、電子部品を有する回路基板と、前記固体撮像素子の前記電気接続部に接続され前記回路基板を接続する外部端子とを有し、種類が異なる固体撮像素子に対して前記回路基板に接続される位置での外部端子のサイズ及びピッチを同一とし、共通の回路基板を前記種類が異なる固体撮像素子に接続可能としたことを特徴とし、前記外部端子は、一端を前記固体撮像素子の前記電気接続部に接続され、他端を前記固体撮像素子の前記イメージエリア後方に折り曲げて前記回路基板に接続するフレキシブルリードによって構成され、このフレキシブルリードを保持するテープを更に備え、前記テープを前記フレキシブルリードが延出する前記固体撮像素子の幅寸法より狭幅にしたことを特徴とする。
この構成により、種類の異なる固体撮像素子を共通の回路基板に接続可能で、組立性の良い撮像装置を実現することができる。
【０００９】
【発明の実施の形態】
以下、図面を参照して本発明の実施の形態を説明する。
（第１の実施の形態）
図１ないし図１１は本発明の第１の実施の形態に係り、図１は本発明の第１の実施の形態による撮像装置を備えた内視鏡装置の全体構成を示す説明図、図２は図１の挿入部先端側の断面図、図３は本発明の第１の実施の形態を備えた撮像装置の全体構成を示す断面図、図４は図３のＡ−Ａ断面図、図５は組立前の固体撮像素子部の正面図、図６は図５の側面図、図７は図３のＢ−Ｂ断面図、図８は図５の変形例を示す組立前の固体撮像素子部の正面図、図９は固体撮像素子部の後方斜視図、図１０は多画素固体撮像素子を設けた撮像装置の全体構成を示す断面図、図１１は図１０の組立前の多画素固体撮像素子部の正面図である。
【００１０】
図１に示すように本実施形態の内視鏡装置１は、例えば検査対象部位の観察画像を得るための内視鏡２と、この内視鏡２へ照明光を供給する光源装置３と、前記内視鏡２の制御及び内視鏡２で得られた画像信号の信号処理を行うビデオプロセッサ４と、このビデオプロセッサ４から出力されるビデオ信号を受けて観察画像を表示するモニタ５とで主に構成されている。
【００１１】
前記内視鏡２は、照明光学系や観察光学系などが配設される先端部６と、この先端部６に連設し例えば上下左右方向に湾曲可能な湾曲部７と、この湾曲部７に連設し可撓性を有する柔軟な可撓部８とで構成された細長な挿入部９を有し、この挿入部９の基端側に操作部１０を備え、この操作部１０の側部よりライトガイドなどを内挿したユニバーサルコード１１を延出して構成されている。
前記内視鏡２は、ユニバーサルコード１１の端部に設けたライトガイドコネクタ１１ａを介して光源装置３と着脱自在に接続されるようになっており、このライトガイドコネクタ１１ａの側部より延出する信号ケーブル１２の端部に設けた電気コネクタ１２ａを介してビデオプロセッサ４と着脱自在に接続されるようになっている。
【００１２】
図２に示すように挿入部９内に挿通されているライトガイド１３の先端は、前記先端部６を構成する硬質の先端部本体１４の照明窓を形成する透孔に口金１５を介して半田付け或いは接着剤で固定され、その先端面に対向して拡径にした照明窓に気密的に照明レンズ１６が固着されている。尚、前記ライトガイド１３は可撓性を有するファイバを束ねたファイババンドルで構成され、このファイババンドルは可撓性のチューブ１７で覆われている。
【００１３】
前記先端部本体１４には、照明窓に隣接して、撮像窓を有する透孔が設けてあり、撮像する機能を備えた撮像装置２０が図示しないネジ等で固着されている。
この撮像装置２０の後端からは、撮像された画像を伝送する（電気的な画像の伝送体としての）撮像ケーブル（或いは信号ケーブル）２１が延出されている。
この撮像ケーブル２１は、可撓性の保護チューブ２２で覆われている。この撮像ケーブル２１は、挿入部９内を経て操作部１０からユニバーサルコード１１内を挿通されて前記電気コネクタ１２ａに接続されている。
【００１４】
前記先端部本体１４の後端には、第１の湾曲駒２３が半田付けなどで固着され、この第１の湾曲駒２３の後端には第２の湾曲駒２３がリベット等の回動自在の連結部材を介して連結されるようにして多数の湾曲駒２３が互い回動自在に連結されて前記湾曲部７を形成している。これら湾曲駒２３の外周は、ゴムチューブ等の柔軟性のある外皮２４で覆われており、この外皮２４の前端も先端部本体１４に気密的に固着されている。
【００１５】
前記光源装置３内に設けられている図示しないランプより出射された照明光は、ライトガイドコネクタ１１ａ、ユニバーサルコード１１及び内視鏡２の操作部１０及び挿入部９内を挿通する前記ライトガイド１３を介して先端部６まで導かれ、伝送した照明光を先端面からさらに照明レンズ１６を経て出射し、前方の患部等の被写体側を照明する。
前記照明光によって照射されて得られる検査対象部位の像は、前記先端部６に設けた前記撮像装置２０で撮像され電気信号に変換された後、この電気信号を前記ビデオプロセッサ４に伝送し、このビデオプロセッサ４でビデオ信号に生成した後、このビデオ信号を前記モニタ５に伝送して、モニタ画面上に観察画像を表示するようになっている。
【００１６】
前記撮像装置２０には、内視鏡の用途に応じて、標準の画素数を有する固体撮像素子や多画素固体撮像素子等の異なる種類の固体撮像素子を組み込み可能となっており、本実施の形態では、標準の画素数を有する固体撮像装置を用いた撮像装置と多画素固体撮像素子を有する撮像装置との間で共通の回路基板を用いるように構成している。
【００１７】
先ず図３ないし図９を参照して標準の画素数を有する固体撮像素子を用いた撮像装置を説明する。
図３に示すように標準の画素数を有する後述の固体撮像素子を用いた撮像装置３０は、対物レンズ系である対物光学部３１と撮像部３２とから構成されており、前記対物光学部３１は対物レンズ３３ａ，３３ｂ，３３ｃと、これらレンズ３３を所定の位置に固定配置するレンズ枠３４とで構成されている。
このレンズ枠３４の外周面基端側には、前記撮像部３２を構成するカバーガラス３５を基端部に配置したＣＣＤホルダ３６が外嵌されている。このＣＣＤホルダ３６には、光学絞り３７が設けられている。
【００１８】
前記撮像部３２は、矩形状で前記対物光学部２１側である先端面側略中央部にイメージエリア（受光部）３８を設けた固体撮像素子３９と、この固体撮像素子３９の基端面側に後述の接着剤によって接着固定され、電子部品４１ａ、４１ｂを配設したセラミック等の硬質材料で形成された回路基板４２とで主に構成されている。尚、電子部品４１ａはバッファアンプであり、前記回路基板４２にフリップチップボンディング後、封止樹脂により封止されている。この電子部品４１ａと固体撮像素子３９とは、電気絶縁性接着剤にて接着固定されている。前記回路基板４２の電子部品４１ａと逆側の面には、チップコンデンサ・チップ抵抗などの電子部品４１ｂが半田にて接続固定されている。尚、前記対物レンズ３３ｃは、前記カバーガラス２５に対して紫外線硬化型の光学接着剤により前記固体撮像素子３９のイメージエリア３８との芯を出した状態で接着固定されるようになっている。
【００１９】
前記固体撮像素子３９は、標準の画素数を有するものであり、図示しないが前記イメージエリア３８にＮＴＳＣ方式のビデオ信号を出力することが可能な約４１万の画素がマトリクス状に設けられている。尚、固体撮像素子３９は、回路基板４２に接続される複数種の固体撮像素子のうち一番小さな外形を有するものである。
【００２０】
この固体撮像素子３９のイメージエリア３８の周辺部には、固体撮像素子３９の電気接続部であるパッド４３が設けられており、外部端子となるフレキシブルリード４４がバンプ４５を介して熱圧着もしくは超音波圧着されて電気的に接続されている。この圧着部周辺は、前記固体撮像素子３９によって挟み込みながら前記カバーガラス３５を接着固定している。尚、このカバーガラス３５と固体撮像素子３９との間は空気層でもよいし、光学接着剤による接着層でもよい。
【００２１】
前記フレキシブルリード４４は、表面に金メッキを施した銅箔で形成されており、このフレキシブルリード４４を両面から覆うように成形されたポリイミド等のテープ４６によって保持されている。
【００２２】
本実施の形態では、種類が異なる固体撮像素子に対してこのフレキシブルリード４４の前記回路基板４２に接続される位置でのサイズ及びピッチを同一に形成することで、共通の回路基板を前記種類が異なる固体撮像素子に接続できるように構成している。
【００２３】
前記ＣＣＤホルダ３６には、薄肉のステンレス材で形成された外囲部材であるシールドケース４７が嵌合していて、このシールドケース４７により、内部の固体撮像素子３９、回路基板４２及び電子部品４１ａ、４１ｂを機械的に保護するとともに、外部からの電気的なノイズをシールドしている。前記シールドケース４７内部の空間には、接着剤を充填して接着剤充填部４８を形成している。この接着剤充填部４８は、撮像ケーブル（或いは信号ケーブル）２１に亘って設けられ、断線を防止している。尚、接着剤充填部４８は、エポキシ系の熱硬化型接着剤により固体撮像素子３９を中心とした電装部を封止する目的で形成されるが、本実施の形態では封止性向上のため熱硬化工程の前に常温にて３時間放置して接着剤を電装部へとなじませてから９０℃の雰囲気中で熱硬化させている。
【００２４】
図４に示すように前記シールドケース４７は、前記対物レンズのうち最も大径で固体撮像素子３９に接合される対物レンズ３３ｃに４箇所で外接している。また、対物レンズ３３ｃとシールドケース４７とが接する箇所付近のＣＣＤホルダ３６には、切欠４９が形成され、前記対物レンズ３３ｃが露出してシールドケース４７と接している。この対物レンズ３３ｃは、切欠４９の存在しない箇所のみで前記ＣＣＤホルダ３６に支持されている。尚、本実施の形態では、前記対物レンズ３３ｃとシールドケース４７とが４箇所で外接しているが、その限りではなく１箇所、２箇所、もしくは３箇所でも良い。また、対物レンズ３３ｃの外形は、円形に限らず一部に非円形部を設け、シールドケース４７が面接触するようにしても良い。更に、対物レンズ３３ｃとシールドケース４７が接するそれぞれの箇所には、光学的なフレア等を防止する目的で黒色塗料を塗布してもよい。
【００２５】
従来の撮像装置では、対物レンズ３３ｃの外周が全周に亘ってＣＣＤホルダ３６と嵌合して支持され、ＣＣＤホルダ３６の更に外側でシールドケース４７がＣＣＤホルダ３６に嵌合していたので、対物レンズ３３ｃとシールドケース４７とが直に接することはなく、従って撮像装置が大型化していたが、上述した構成により、対物レンズのうち最大外径を有する対物レンズ３３ｃに接するように外囲部材であるシールドケース４７を設けているので、シールドケース４７によって撮像装置の最大外形が形成され撮像装置の小型化を図れるようになっている。
【００２６】
前記フレキシブルリード４４は、前記イメージエリア３８後方に折り曲げて（図９参照）、前記回路基板に接続するようになっているが、図５及び図６に示すように例えば固体撮像素子３９の向かい合う２辺に設けられるパッド４３にそれぞれ片側６本、計１２本接続されている。これらのフレキシブルリード４４は、組立前は固体撮像素子３９からイメージエリア３８と平行に延出している。尚、パッド４３は、固体撮像素子３９の２辺に列状に設けられているが、４辺全てに設けても良いし、１辺のみに設けてもよい。また、向かい合う２辺ではなく、隣り合う２辺に設けても良い。
【００２７】
前記フレキシブルリード４４は、このフレキシブルリード４４をイメージエリア３８後方へと折り曲げた際に、フレキシブルリード４４の幅寸法が固体撮像素子３９から離れるに従って緩やかに大きくなっている。
このフレキシブルリード４４の前記テープ４６より外側で大きな幅寸法を有する部位は、後の工程で前記回路基板４２に接続されるために等幅且つ等ピッチに設けられている。
【００２８】
一方、図示しないが前記回路基板４２の正面視形状は、固体撮像素子３９の外形とほぼ同形状であり、側部には複数の接続ランドが前記フレキシブルリード４４と同一ピッチ且つ同一寸法にて設けられている。
【００２９】
このことにより、フレキシブルリード４４をそれぞれ回路基板４２の接続ランドに半田にて接続固定することで、種類の異なる固体撮像素子を共通の回路基板に接続することができるようになっている。
【００３０】
ここで、図１６に示す従来の撮像装置におけるパッド４３は、イメージエリア３８の周辺部の辺上に広く点在して設けられているため、パッド４３に接続されるフレキシブルリード４４も幅広い範囲に設けられることとなり、フレキシブルリード４４を保持するテープ４６の幅寸法Ｗが固体撮像素子３９の幅寸法より大きくなってしまう。このテープ４６に保持されるフレキシブルリード４４をイメージエリア３８後方に折り曲げて回路基板に接続した際、図１７に示すように固体撮像素子３９の周辺を覆う外部部材であるシールドケース４７の４隅の形状が大きくなってしまう。このため、前記パッド４３を固体撮像素子３９のイメージエリア３８の周辺部の辺の中心側に設けることで、このパッド４３に接続されるフレキシブルリード４４も狭い範囲に設けることになり、フレキシブルリード４４を保持する前記テープ４６の幅寸法Ｗを固体撮像素子３９の幅寸法より小さくすることができる。
【００３１】
この固体撮像素子３９の幅寸法より小さなテープ４６に保持されるフレキシブルリード４４をイメージエリア３８後方に折り曲げて回路基板に接続した際、図７に示すように前記シールドケース４７の４隅に面取り部５０を形成することができる。従って、この撮像装置３０を内視鏡先端部６に配置する場合、例えば内視鏡２の他の内蔵物を面取り部５０に配置することができるようになり、内視鏡先端部の細径化が可能となる。
【００３２】
尚、固体撮像素子３９の回路パターン設計上等の理由により、パッド４３を固体撮像素子３９のイメージエリア３８の周辺部の辺の中心側に設けることが困難な場合は、図８に示すようにテープ４６より内側で狭幅な部位のフレキシブルリード４４をクランクさせることで、テープ４６及び外部と接続されるテープ４６より外側のフレキシブルリード４４を固体撮像素子３９の幅寸法より小さくすることができる。この構成によっても，固体撮像素子３９の幅寸法より小さなテープ４６に保持されるフレキシブルリード４４をイメージエリア３８後方に折り曲げて回路基板４２に接続した際、図７で説明したように前記シールドケース４７の４隅に面取り部５０を設けることができる。従って、この撮像装置を内視鏡先端部に配置する場合、例えば内視鏡の他の内蔵物を面取り部５０に配置することができるようになり、同様な効果が得られる。
【００３３】
そして、上記上述したように前記固体撮像素子３９のパッド４３に接続され、等幅且つ等ピッチに前記固体撮像素子３９側面から延出するフレキシブルリード４４は、図９に示すように固体撮像素子３９後方即ちイメージエリア３８後方へと折り曲げられる。
【００３４】
次に図３で説明したように固体撮像素子３９のイメージエリア３８とは逆側の面に電子部品４１ａを介して回路基板４２が固体撮像素子３９と平行に接着固定される。そして、前記したように回路基板４２に設けられる複数の接続ランドは、フレキシブルリード４４と同一ピッチ且つ同一寸法であるので、フレキシブルリード４４をそれぞれ回路基板４２の接続ランドに半田にて接続固定することが可能である。
【００３５】
次に、図１０及び図１１を用いて多画素固体撮像素子を用いた撮像装置の構成を説明する。
図１０に示すように多画素固体撮像素子６１を用いた撮像装置６０は、図３で説明した撮像装置とほぼ同様な構成であるが、前記多画素固体撮像素子６１は図３で説明した固体撮像素子３９より画素数が多く、素子サイズも大きくなっている。この多画素固体撮像素子６１は、図示しないがイメージエリア３８へとＵＸＧＡサイズのデジタルビデオ信号を出力することが可能な約２１１万の画素がマトリクス状に設けられている。
【００３６】
図１１に示すように、この多画素固体撮像素子６１の前記イメージエリア３８周辺に設けられているパッド４３は、図３で示した固体撮像素子９と同一の間隙で設けられている。従って、テープ４６に保持されたフレキシブルリード４４も図３で用いられているものと同一のものを用いることができる。即ち、後の工程で回路基板４２へと接続されるテープ４６より外側で大きな幅寸法を有する部位のフレキシブルリード４４も、図３で説明した固体撮像素子３９に接続されるものと同一の寸法及び同一のピッチを有しており、図３で示した実施例と同一の回路基板４２へと接続することができるようになっている。
【００３７】
前記回路基板４２は、複数種類の固体撮像素子のうち、図３で説明した一番小さな固体撮像素子３９の外形と同形状であるので、本実施の形態のような多画素固体撮像素子６１と比較すると外形が小さい。従って多画素固体撮像素子６１に接続される場合、フレキシブルリード４４を鉛直方向に折り曲げて回路基板４２の側面へと接続される（図１０参照）。
【００３８】
このとき回路基板４２は、複数種の固体撮像素子のうち、一番小さな素子サイズをもつ固体撮像素子に合わせて同形状にしておけば、撮像装置としての小型化を常に保つことができる。本実施の形態では複数種類の固体撮像素子のうち、一番小さな固体撮像素子３９と回路基板４２との外形と同形状である。
【００３９】
従って、撮像装置自身を小型化することなく、また高コストな回路基板を種類の異なる固体撮像素子ごとに準備する必要のない、複数種の固体撮像素子に接続することができる回路基板を有する撮像装置が提供でき、撮像装置の原価低減をはかれる。また、回路基板接続に関わる組立作業の統一化がなされ、組立作業性が向上する。
【００４０】
（第２の実施の形態）
図１２は本発明の第２の実施の形態に係る組立前の固体撮像素子部の正面図である。
上記第１実施の実施の形態は、図３で説明した標準の画素数を有する固体撮像装置３９を用いた撮像装置３０と、図１０で説明した多画素固体撮像素子６１を有する撮像装置６０との間で共通の回路基板４２を用いて撮像装置を構成していたが、本第２の実施の形態では、回路パターン設計上の理由により、図８で説明したのと同様にフレキシブルリード４４をクランクした構成としている。
【００４１】
即ち、図１２に示すように、テープ４６より内側で狭幅な部位のフレキシブルリード４４をクランクさせることにより、外部と接続されるテープ４６より外側のフレキシブルリード４４は、図５で説明したフレキシブルリード４４と同様に同部位のフレキシブルリード４４と同一寸法且つ同一ピッチとなる。従って同一の回路基板４２を接続することができる。
【００４２】
この回路基板４２は、複数種類の固体撮像素子のうち、図３で説明した一番小さな固体撮像素子３９の外形と同形状であるので、本実施の形態のような多画素固体撮像素子６１と比較すると外形が小さい。従って、多画素固体撮像素子６１に接続される場合、図１０に示すようにフレキシブルリード４４を鉛直方向に折り曲げて回路基板４２の側面へと接続される。
【００４３】
尚、本実施の形態では、回路基板４２に搭載される電子部品４３ｃは、多画素固体撮像素子６１より多くの画素とのやり取りを行なうため、第１の実施の形態とは異なる多画素固体撮像素子６１専用の高周波対応電子部品４３ｃである。即ち、種類の異なる固体撮像素子間の駆動条件の違いに対応することが可能である。
【００４４】
この結果、回路基板４２は共通であるが、搭載される電子部品は接続される固体撮像素子に合わせたものが選べるので、回路基板４２の汎用性が広がる。
【００４５】
（第３の実施の形態）
図１３ないし図１５は本発明の第３の実施の形態に係り、図１３は本発明の第３の実施の形態を備えた撮像装置の全体構成を示す断面図、図１４は図１３のＣ−Ｃ断面図、図１５は組立前のＰＡＬ固体撮像素子部の正面図である。
本第３の実施の形態は、図３で説明した標準の画素数を有する固体撮像装置３９を用いた撮像装置と、ＰＡＬ固体撮像素子を有する撮像装置との間で共通の回路基板４２を用いるように構成している。
【００４６】
図１３に示すようにＰＡＬ固体撮像素子７１を用いた撮像装置７０は、図３で説明した撮像装置とほぼ同様な構成であるが、前記ＰＡＬ固体撮像素子７１の素子サイズ（いわゆるパッケージサイズ）は図３で説明した固体撮像素子３９と同一であり、図示しないがイメージエリア３８へとＰＡＬ方式のビデオ信号を出力することが可能な約４４万の画素がマトリクス状に設けられている。尚、符号４１ｄは、ＰＡＬ方式のビデオ信号を信号処理する電子部品である。
【００４７】
このＰＡＬ固体撮像素子７１に接合される対物レンズ３３ｃは、図１４に示すように、外形の一部が非円形な非円形部８１を有している。この非円形部８１は、ＣＣＤホルダ３６から露出し熱収縮チューブ８２に接している。尚、本実施の形態では、外囲部材が熱収縮チューブ８２となっており、この熱収縮チューブ８２は、対物レンズ３３ｃの４箇所、とりわけ図中上下では対物レンズ３３ｃの非円形部８１に密着している。従って第１の実施の形態の撮像装置３０よりも外形の更なる小型化が可能である。
【００４８】
前記ＰＡＬ固体撮像素子７１は、図３で説明した固体撮像素子３９との画像方式の違いにより、図１５に示すようにパッド４３の個数が多く、ＰＡＬ固体撮像素子７１の周辺部へと片側８個、両側で１６個設けられている。また、同様に画像方式の違いからＰＡＬ固体撮像素子７１は、固体撮像素子３９と駆動条件が異なっている。
【００４９】
しかしながら、テープ４６内部で統一されるフレキシブルリード４４が存在するため、外部と接続されるテープ４６より外側のフレキシブルリード４４は、図５で説明した同部位のフレキシブルリード４４と同一寸法且つ同一ピッチ及び同一本数となる。
【００５０】
従って、同一の回路基板４２を接続することが可能である。この回路基板４２は、前記ＰＡＬ固体撮像素子７１と同一素子サイズを有する固体撮像素子３９の外形と同形状であるので、撮像装置全体が大型化されることもない。
【００５１】
尚、本発明の撮像装置は、上記した実施の形態にのみ限定されるものではなく、本発明の要旨を逸脱しない範囲で種々変形実施可能である。
【００５２】
［付記］
（付記項１）  イメージエリアの周辺部に電気接続部を設けた固体撮像素子と、
電子部品を有する回路基板と、
前記固体撮像素子の前記電気接続部に接続され前記回路基板を接続する外部端子とを有し、
種類が異なる固体撮像素子に対して前記回路基板に接続される位置での外部端子のサイズ及びピッチを同一とし、共通の回路基板を前記種類が異なる固体撮像素子に接続可能としたことを特徴とする撮像装置。
【００５３】
（付記項２）  イメージエリアの周辺部に電気接続部を設けた固体撮像素子と、電子部品を有する回路基板と、一端を前記固体撮像素子の前記電気接続部に接続され、他端を前記固体撮像素子の前記イメージエリア後方に折り曲げて前記回路基板に接続するフレキシブルリードと、このフレキシブルリードを保持するテープと、を有し、
前記テープを前記フレキシブルリードが延出する前記固体撮像素子の幅寸法より狭幅にしたことを特徴とする撮像装置。
【００５４】
（付記項３）  前記外部端子は、前記固体撮像素子の前記イメージエリアの後方に折り曲げたフレキシブルリードであることを特徴とする付記項１に記載の撮像装置。
【００５５】
（付記項４）  前記種類が異なる固体撮像素子とは、画素数が異なる付記項１に記載の撮像装置。
【００５６】
（付記項５）  前記種類が異なる固体撮像素子とは、素子サイズが異なる付記項１に記載の撮像装置。
【００５７】
（付記項６）  前記種類が異なる固体撮像素子とは、駆動条件が異なる付記項１に記載の撮像装置。
【００５８】
（付記項７）  前記回路基板に搭載される電子部品は、接続される固体撮像素子の種類ごとに異なることを特徴とする付記項１に記載の撮像装置。
【００５９】
（付記項８）  前記固体撮像素子は、ＴＡＢ（Ｔａｐｅ  ＡｕｔｏｍａｔｅｄＢｏｎｄｉｎｇ）方式により実装していることを特徴とする付記項１または２に記載の撮像装置。
【００６０】
（付記項９）  複数のレンズから構成する対物レンズ群と、内視鏡観察像を撮像する固体撮像素子と、この固体撮像素子を駆動するための電子部品を有する回路基板と、を有する撮像装置において、
前記対物レンズ群のうち最大径を有するレンズの露出部を接するように外囲部材を設け、前記外囲部材が最大外径を形成することを特徴とする撮像装置。
【００６１】
（付記項１０）  前記最大径を有するレンズは、前記固体撮像素子に接合されるレンズであることを特徴とする付記項９に記載の撮像装置。
【００６２】
（付記項１１）  前記外囲部材は、薄肉の板材を折り曲げて形成される付記項９または１０に記載の撮像装置。
【００６３】
（付記項１２）  前記外囲部材は、熱収縮チューブにて形成される付記項９または１０に記載の撮像装置。
【００６４】
【発明の効果】
以上説明したように本発明によれば種類の異なる固体撮像素子を共通の回路基板に接続可能で、組立性の良い撮像装置を実現できる。
【図面の簡単な説明】
【図１】本発明の第１の実施の形態による撮像装置を備えた内視鏡装置の全体構成を示す説明図
【図２】図１の挿入部先端側の断面図
【図３】本発明の第１の実施の形態を備えた撮像装置の全体構成を示す断面図
【図４】図３のＡ−Ａ断面図
【図５】組立前の固体撮像素子部の正面図
【図６】図５の側面図
【図７】図３のＢ−Ｂ断面図
【図８】図５の変形例を示す組立前の固体撮像素子部の正面図
【図９】固体撮像素子部の後方斜視図
【図１０】多画素固体撮像素子を設けた撮像装置の全体構成を示す断面図
【図１１】図１０の組立前の多画素固体撮像素子部の正面図
【図１２】本発明の第２の実施の形態に係る組立前の固体撮像素子部の正面図
【図１３】本発明の第３の実施の形態を備えた撮像装置の全体構成を示す断面図
【図１４】図１３のＣ−Ｃ断面図
【図１５】組立前のＰＡＬ固体撮像素子部の正面図
【図１６】従来の組立前の固体撮像素子部の正面図
【図１７】従来の撮像装置の断面図
【符号の説明】
１        …内視鏡装置
２        …内視鏡
３        …光源装置
４        …ビデオプロセッサ
５        …モニタ
２０，３０，
６０      …撮像装置
３３ａ，３３ｂ，
３３ｃ    …対物レンズ
３５      …カバーガラス
３８      …イメージエリア
３９      …固体撮像素子
４２      …回路基板
４３      …パッド（電気接続部）
４４      …フレキシブルリード（外部端子）
４５      …バンプ
４６      …テープ
４７      …シールドケース
６１      …多画素固体撮像素子
【図１】
0003548467.tif 000002
【図２】
0003548467.tif 000003
【図３】
0003548467.tif 000004
【図４】
0003548467.tif 000005
【図５】
0003548467.tif 000006
【図６】
0003548467.tif 000007
【図７】
0003548467.tif 000008
【図８】
0003548467.tif 000009
【図９】
0003548467.tif 000010
【図１０】
0003548467.tif 000011
【図１１】
0003548467.tif 000012
【図１２】
0003548467.tif 000013
【図１３】
0003548467.tif 000014
【図１４】
0003548467.tif 000015
【図１５】
0003548467.tif 000016
【図１６】
0003548467.tif 000017
【図１７】
0003548467.tif 000018